【事件の表示】
　特願２０００−２２７７１０「遊技機」拒絶査定不服審判事件〔平成１４年　２月　５日出願公開、特開２００２−　３５２８２〕について、次のとおり審決する。
【結　論】
　本件審判の請求は、成り立たない。
【理　由】
１．手続の経緯
　本願は、平成１２年７月２７日の出願であって、平成１５年６月２６日付けの最後の拒絶理由に対して、平成１５年８月２６日付けで手続補正がなされ、平成１６年４月２３日付けで、平成１５年８月２６日付けの手続補正を却下するとともに拒絶査定がなされ、これに対し、平成１６年６月９日に拒絶査定に対する審判請求がなされるとともに、同日付けで手続補正がなされたものである。
　　　　　　　　　　　　　　　　　　　　　　　　　　　　　　　　　
２．平成１６年６月９日付けの手続補正（以下、「本件補正」という。）について
　　　　　　　　　　　　　　　　　　　　　　　　　　　　　　　　　
［
補正却下の決定の結論
　平成１６年６月９日付けの手続補正を却下する。
　　　　　　　　　　　　　　　　　　　　　　　　　　　　　　　　　
　本件補正により、特許請求の範囲の請求項１は、
「変動後の入賞ライン上の複数個の停止図柄が特定態様となったときに遊技者に有利な利益状態を発生させるようにした遊技機において、遊技に必要な複数種類の第１図柄が周方向に略等間隔をおいて表わされ且つ図柄表示領域に複数コマの前記第１図柄を変動、停止表示可能な複数の回胴体と、該回胴体を別々に駆動する駆動手段と、前記回胴体の内部に配置され且つ前記図柄表示領域に対応させて前記複数コマの第２図柄を変動表示可能な電気的表示手段とを備え、内部に前記電気的表示手段を備えた前記回胴体は、前記電気的表示手段の複数コマの第２図柄を視認可能な視認部を備え、前記電気的表示手段は１コマに複数個の前記第２図柄を停止表示してその複数個の第２図柄によって複数種類の価値が生じるように構成したことを特徴とする遊技機。」と補正された。
　　　　　　　　　　　　　　　　　　　　　　　　　　　　　　　　　
　上記補正は、請求項１に記載した発明を特定するために必要な事項である「表示手段」について「電気的表示手段」と限定し、「内部の前記表示手段側を視認可能な視認部」について「電気的表示手段の複数コマの第２図柄を視認可能な視認部」と限定するとともに、「変動後の入賞ライン上の複数個の停止図柄が特定態様となったときに遊技者に有利な利益状態を発生させるようにした遊技機において、」の限定事項を付加するものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（特許法第１７条の２第５項において準用する同法第１２６条第５項の規定に適合するか）について以下に検討する。
　　　　　　　　　　　　　　　　　　　　　　　　　　　　　　　　　
（１）引用発明
(１-1)　特開平３−６０６８１号公報
　原査定の拒絶の理由に「引用文献１」として引用された、本願の出願前に頒布された刊行物である、特開平３−６０６８１号公報（以下、「引用例」という。）には以下の記載がある。
a．「スロットマシンの外観を示す第３図において、前面パネル２には３個の表示窓３〜５が設けられ、表示窓３〜５の奥には第１〜第３リール６〜８が回転自在に配置されている。これらのリール６〜８の外周には一定ピッチで複数個のシンボルが配列され、各々シンボル列を構成している。そして、表示窓３〜５を通してリール６〜８のシンボルをそれぞれ３個ずつ観察することができるようになっている。」（第２頁右下欄第１−９行）
b．「表示窓３〜５には横３本、斜め２本の合計５本の入賞ライン９が記され・・・る。１〜３枚のコインを投入口１０から入れた後、スタートレバー１２を操作すると第１〜第３リール６〜８が一斉に回転し、リールごとに設けられたストップボタン１３〜１５を押すとリールが停止する。リールが停止したとき、有効化された入賞ライン上に停止しているシンボルを組み合わせて入賞の有無が表示される。そして、シンボルの組み合わせが入賞に該当していると、その入賞役に応じて予め定められた枚数の配当コインが払い出される。」（第２頁右下欄第１０行−第３頁左上欄第５行）
c．「第１リール６は二重構造をしたリールユニット２０の外側リールとなっており、その内側には同軸で回転自在な内リール１７が設けられている。これらの第１リール６及び内リール１７は、それぞれステッピングモータ１８，１９の駆動軸１８a，１９aに直結され、各々個別に駆動される。」（第３頁左上欄第８−１４行）
d．「第１リール６の外周には、図示のように「７」，「プラム」，「オレンジ」，・・・等のシンボルが配列されるとともに、特殊シンボルとしてほぼシンボル１個分の大きさの開口窓２５が形成されている。また、内リール１７の外周にも「７」，「プラム」，「ＢＡＲ」その他のシンボルが配列されている。」（第３頁左上欄第１９行−右上欄第５行）
e．「第１リール６の開口窓２５が表示窓に現れているときには、開口窓２５を通して内リール１７のシンボル１個を観察することができる。・・・開口窓２５の大きさを複数個分のシンボルサイズに対応した大きなものにしてもよい。」（第３頁右上欄第１２−１８行）
f．「第１リール６、内リール１７を駆動するステッピングモータ１８，１９の回転及び停止は、それぞれモータ制御回路３０，３１によって制御される。同様に、第２リール７、第３リール８を駆動するステッピングモータ３２，３３の回転、停止はモータ制御回路３４，３５によって制御される。」（第３頁左下欄第４−１０行）
g．「第１〜第３リール６〜８の回転が停止した時点で、カウンタ４６，４８，４９ののカウント値が第１〜第３シンボルテーブル５８〜６１と対照され、入賞の有無が確認される。さらに第１リール６が「開口窓」を停止表示しているときには、開口窓２５を通して観察される内リール１７についてもカウンタ４７のカウント値が参照され、シンボル判定が行われる。」（第５頁左下欄第１６行−右下欄第３行）
h．「第１リール６だけでなく、第２、第３リールについても開口窓と内リールとからなる二重構造のリールユニットにすることもでき、・・・さらに、通常ゲームの開始と同時に内リール１７も回転させるように・・・することも可能である。」（第６頁右下欄第３−１２行）
i．「第７図は、本発明の他の実施例を示すもので、例えば前述した第１実施例の第１リール６の代わりに用いることができる。ステッピングモータ７０によって駆動されるリール７１の外周には複数のシンボルが一定ピッチで配列され、そのシンボル配列中にはシンボル１個分の開口７２が形成されている。・・・リール７１の内壁には、液晶表示パネル７５の他、電池及び表示パターンデータを格納したメモリを含むドライブユニット７６、光信号受光部７７が取り付けられ、液晶表示パネル７５の表示面は、開口７２から露出している。」（第７頁左上欄第２−１４行）
j．「液晶表示パネル７５には複数種類のシンボルが順次に表示され、擬似的にシンボルの移動表示が行われる。そして、停止制御時には予め停止シンボル決定回路５４で決められたシンボル表示を行うように、表示データ発信器７８を駆動すれば、すでに述べた第１実施例と同様の機能を得ることができる。」（第７頁右上欄第１４−２０行）
　　　　　　　　　　　　　　　　　　　　　　　　　　　　　　　　　
　上記の記載によれば、引用例（特開平３−６０６８１号公報）には、第１実施例における「第１リール６」の代わりに「リール７１」（以下、「リール７１」を「第１リール７１」という。）を用いた「他の実施例」が記載されており（摘示i．j．第７図）、該「他の実施例」に係る発明（以下、「引用発明」という）は以下のものと認められる。
　「前面パネル２には３個の表示窓３〜５が設けられ、表示窓３〜５の奥には第１リール７１、第２リール７、第３リール８が回転自在に配置されており、これらのリールの外周には一定ピッチで複数個のシンボルが配列され、各々シンボル列を構成し、表示窓３〜５を通してリールのシンボルをそれぞれ３個ずつ観察することができるようになっており、表示窓３〜５には横３本、斜め２本の合計５本の入賞ライン９が記され、１〜３枚のコインを投入口１０から入れた後、スタートレバー１２を操作すると第１〜第３リールが一斉に回転し、リールごとに設けられたストップボタン１３〜１５を押すとリールが停止し、有効化された入賞ライン上に停止しているシンボルを組み合わせて入賞の有無が表示され、シンボルの組み合わせが入賞に該当していると、その入賞役に応じて予め定められた枚数の配当コインが払い出されるスロットマシンにおいて、ステッピングモータ７０によって駆動される第１リール７１の外周には複数のシンボルが一定ピッチで配列され、そのシンボル配列中にはシンボル１個分の開口７２が形成され、第１リール７１の内壁には、液晶表示パネル７５の他、電池及び表示パターンデータを格納したメモリを含むドライブユニット７６、光信号受光部７７が取り付けられ、液晶表示パネル７５の表示面は開口７２から露出し、液晶表示パネル７５には複数種類のシンボルが順次に表示され、擬似的にシンボルの移動表示が行われ、停止制御時には予め停止シンボル決定回路５４で決められたシンボル表示を行うように、表示データ発信器７８を駆動するものであり、第１リール７１の外周には、「７」，「プラム」，「オレンジ」，・・・等のシンボルが配列されるとともに、特殊シンボルとしてほぼシンボル１個分の大きさの開口７２が形成され、また、第２リール７、第３リール８を駆動するステッピングモータ３２，３３の回転、停止はモータ制御回路３４，３５によって制御されるものであり、第１リール７１、第２リール７、第３リール８の回転が停止した時点で入賞の有無が確認され、さらに第１リール７１が「開口」を停止表示しているときには、開口７２を通して観察される液晶表示パネル７５のシンボル表示についてもシンボル判定が行われるものであり、通常ゲームの開始と同時に液晶表示パネル７５のシンボルの移動表示をさせるようにすることも可能な、スロットマシン。」
　　　　　　　　　　　　　　　　　　　　　　　　　　　　　　　　　
(１-2)　登録実用新案第３０５７６９０号公報
　原査定の拒絶の理由に「引用文献３」として引用された、本願の出願前に頒布された刊行物である、登録実用新案第３０５７６９０号公報（以下、「参照例」という。）には以下の記載がある。
　「この考案のスロットマシンは、外周面に複数種の絵柄が所定間隔で描かれ、所定の開始操作によって独立に回転を開始するとともに、所定の停止操作によって順次停止する複数のリールと、停止したリールの絵柄を表示する表示窓部内で、各リール間に設けられた仕切り枠と、先に停止したリールに描かれた絵柄の組合わせから、次に停止するリールによって入賞となる絵柄の停止位置の方向を、仕切り枠で示す入賞方向表示具とを備えたことを特徴としている。
　したがって、先に停止したリールに描かれた絵柄の組合わせから、次に停止するリールに描かれた絵柄が入賞となる停止位置の方向を、仕切り枠に設けた入賞方向表示具が示すので、遊技者は、入賞ラインを確認した上で、最後のリールを停止させることができる。」（段落【０００６】【０００７】）
　「入賞ラインが図５及び図６に示したパターンであれば、入賞方向表示具９は各仕切り枠８に横方向と斜め方向の７個ずつ、上側から下側へ第１，第２，…第７の入賞方向表示具９ａ，９ｂ，…９ｇが設けられている。」（段落【００１０】）
　上記の記載から、参照例（登録実用新案第３０５７６９０号公報）には、以下の発明が記載されていると認められる。
　「外周面に複数種の絵柄が所定間隔で描かれ、所定の開始操作によって独立に回転を開始するとともに、所定の停止操作によって順次停止する複数のリールと、停止したリールの絵柄を表示する表示窓部内で、各リール間に設けられた仕切り枠と、先に停止したリールに描かれた絵柄の組合わせから、次に停止するリールによって入賞となる絵柄の停止位置の方向を示す、仕切り枠に設けた入賞方向表示具とを備え、入賞方向表示具９は各仕切り枠８に横方向と斜め方向の７個ずつ、上側から下側へ第１，第２，…第７の入賞方向表示具９ａ，９ｂ，…９ｇから成り、先に停止したリールに描かれた絵柄の組合わせから、次に停止するリールに描かれた絵柄が入賞となる停止位置の方向を、仕切り枠に設けた入賞方向表示具が示す、スロットマシン。」
　　　　　　　　　　　　　　　　　　　　　　　　　　　　　　　　　
（２）対比 　 　 
　本願補正発明と引用発明とを対比すると、引用発明における「（リールの）シンボル」は本願補正発明における「第１図柄」に対応しており、同様に、「外周」は「周方向」に、「一定ピッチで配列され」は「略等間隔をおいて表わされ」に、「リール」は「回胴体」に、「（第１リール７１の）内壁」は「（回胴体の）内部」に、それぞれ対応しており、さらに引用発明について次のことがいえる。
(i) 引用発明は、「有効化された入賞ライン上に停止しているシンボルを組み合わせて入賞の有無が表示され、シンボルの組み合わせが入賞に該当していると、その入賞役に応じて予め定められた枚数の配当コインが払い出される」（摘示b．）ものであり、上記「有効化された入賞ライン上に停止しているシンボルを組み合わせて入賞の有無が表示され、シンボルの組み合わせが入賞に該当している」ときとは、本願補正発明を特定する「変動後の入賞ライン上の複数個の停止図柄が特定態様となったとき」に対応する状態であり、同様に、「その入賞役に応じて予め定められた枚数の配当コインが払い出される」こととは、本願補正発明を特定する「遊技者に有利な利益状態を発生させる」ことに対応している。また、引用発明は「スロットマシン」に関する発明であり、本願補正発明における「遊技機」の概念に包含されるものである。
　そうすると、同引用発明は、本願補正発明を特定する「変動後の入賞ライン上の複数個の停止図柄が特定態様となったときに遊技者に有利な利益状態を発生させるようにした遊技機」の事項に対応する構成を備えているということができる。
(ii) 引用発明は、「前面パネル２には３個の表示窓３〜５が設けられ、表示窓３〜５の奥には第１リール７１、第２リール７、第３リール８が回転自在に配置されており、これらのリールの外周には一定ピッチで複数個のシンボルが配列され」（摘示a．i．）るものであり、「リール」（本願補正発明における「回胴体」に対応する。）の「外周」（本願補正発明における「周方向」に対応する。）に「複数個」の「シンボル」（本願補正発明における「第１図柄」に対応する。）が「一定ピッチで配列され」（本願補正発明における「略等間隔をおいて表わされ」に対応する。）るものである。そして、上記「複数個（のシンボル）」とは、遊技に必要な複数種類（の「シンボル」）を実質的に意味しているといえるから、同引用発明は、本願補正発明を特定する「遊技に必要な複数種類の第１図柄が周方向に略等間隔をおいて表わされ（た複数の回胴体）」の事項に対応する構成を実質的に備えているといえる。
　また、引用発明における上記「表示窓３〜５」は、その機能に照らすと、本願補正発明における「図柄表示領域」に対応するものであり、該「表示窓３〜５」（「図柄表示領域」）の「奥」に「回転自在に配置され」た「リール」（「回胴体」）は、「表示窓３〜５」（「図柄表示領域」）に変動、停止可能に設けられていることが明らかであり、変動、停止するのは、引用例の第３図及び第７図の記載を併せると、「複数コマ」の「シンボル」（「第１図柄」）であるといえる。
　そうすると、同引用発明は、本願補正発明を特定する「遊技に必要な複数種類の第１図柄が周方向に略等間隔をおいて表わされ且つ図柄表示領域に複数コマの前記第１図柄を変動、停止表示可能な複数の回胴体」の事項に対応する構成を備えているということができる。
(iii) 引用発明において、「第１リール７１」は「ステッピングモータ７０」（摘示i．）によって、[第２リール７、第３リール８」は「ステッピングモータ３２，３３」（摘示f．）によって、それぞれ別々に駆動されるものであるから、同引用発明は、本願補正発明を特定する「回胴体を別々に駆動する駆動手段」の事項に対応する構成を備えているということができる。
(iv) 引用発明において、「第１リール７１の内壁には、液晶表示パネル７５」が「取り付けられ」ており、上記「液晶表示パネル７５には複数種類のシンボルが順次に表示され、擬似的にシンボルの移動表示が行われ」（摘示i．j．）るものである。そして、上記「第１リール７１の内壁」は本願補正発明における「回胴体の内部」に対応し、「液晶表示パネル７５」は本願補正発明における「電気的表示手段」に包含されるものであり、該「液晶表示パネル７５」（「電気的表示手段」）に「移動表示」される「複数種類のシンボル」は、本願補正発明における「変動表示」される「第２図柄」に対応している。
　そうすると、同引用発明は、本願補正発明を特定する「前記回胴体の内部に配置され第２図柄を変動表示可能な電気的表示手段」の事項に対応する構成を備えているということができる。
(v) 上記(iv)に記載したように、引用発明は、本願補正発明を特定する「内部（引用発明における「内壁」が対応する。）に電気的表示手段（引用発明における「液晶表示パネル７５」が包含される。）を備えた回胴体（引用発明における「第１リール７１」が対応する。）」の事項に対応する構成を備えており、同引用発明における「第１リール７１」の「シンボル配列中にはシンボル１個分の開口７２が形成され」ていて、「液晶表示パネル７５」（「電気的表示手段」）の「表示面は、開口７２から露出」（摘示i．）している。そして、上記(iv)に記載したように「液晶表示パネル７５」（「電気的表示手段」）には「複数種類のシンボルが順次に表示され、擬似的にシンボルの移動表示が行われ」（摘示i．j．）るものであり、「液晶表示パネル７５」（「電気的表示手段」）が表示する「シンボル」（「第２図柄」）は、「シンボル１個分の開口７２」を通して視認可能とされており、上記「開口７２」は、本願補正発明における「視認部」に対応するものであるといえる。
　そうすると、同引用発明は、本願補正発明を特定する「内部に前記電気的表示手段を備えた前記回胴体は、前記電気的表示手段の第２図柄を視認可能な視認部を備え」の事項に対応する構成を備えているということができる。
　　　　　　　　　　　　　　　　　　　　　　　　　　　　　　　　　
　以上の事項より、本願補正発明と引用発明とは以下の点で一致し、また、相違していると認められる。
一致点；
　変動後の入賞ライン上の複数個の停止図柄が特定態様となったときに遊技者に有利な利益状態を発生させるようにした遊技機において、遊技に必要な複数種類の第１図柄が周方向に略等間隔をおいて表わされ且つ図柄表示領域に複数コマの前記第１図柄を変動、停止表示可能な複数の回胴体と、該回胴体を別々に駆動する駆動手段と、前記回胴体の内部に配置され第２図柄を変動表示可能な電気的表示手段とを備え、内部に前記電気的表示手段を備えた前記回胴体は、前記電気的表示手段の第２図柄を視認可能な視認部を備えた遊技機、である点。
　　　　　　　　　　　　　　　　　　　　　　　　　　　　　　　　　
相違点；
(A) 本願補正発明は、電気的表示手段が、図柄表示領域に対応させて複数コマの第２図柄を変動表示可能であり、視認部が、複数コマの第２図柄を視認可能であるのに対して、引用発明は、液晶表示手段（電気的表示手段）が、表示窓（図柄表示領域）に対応させて複数コマのシンボル（第２図柄）を移動表示（変動表示）可能とされているか明らかでなく、開口（視認部）が、１個分のシンボル（第２図柄）を視認可能である点。
　　　　　　　　　　　　　　　　　　　　　　　　　　　　　　　　　
(B) 電気的表示手段が停止表示する図柄が、本願補正発明では、１コマに複数個の前記第２図柄を停止表示してその複数個の第２図柄によって複数種類の価値が生じるように構成したのに対して、引用発明では、１コマに１個の図柄を停止表示するものである点。　　　　　　　　　　　　　　
　　　　　　　　　　　　　　　　　　　　　　　　　　　　　　　　　
（３）判断
　上記の相違点について検討する。
(A)の相違点について
　引用例には、「開口窓２５の大きさを複数個分のシンボルサイズに対応した大きなものにしてもよい」（摘示e．）ことが記載されており、「開口窓２５」とは、直接的には、第１実施例に記載された、「内側」に「内リール１７」を設けた「第１リール６」（摘示d．）の「開口窓２５」として記載されているが、「内壁」に「液晶表示パネル７５」を設けた「第１リール７１」の「開口７２」（他の実施例（第７図））についても全く同様であって、該「開口７２」の「大きさを複数個分のシンボルサイズに対応した大きなものにしてもよい」ことは明らかであり、引用例の上記記載に接した当業者は、引用発明における「開口７２」（「視認部」）を「複数個分」（「複数コマ」）の「シンボル」（「第２図柄」）を視認可能な大きさとしてもよいことを実体を伴って認識するものである。
　ところで、引用発明において、上記「開口７２」（「視認部」）は「第１リール７１」に「形成」されており、「第１リール７１」の回転に伴って、該「第１リール７１の外周」に「配列され」た「「７」，「プラム」，「オレンジ」，・・・等のシンボル」とともに回転するものであり、「表示窓」（「図柄表示領域」）から観察される「開口７２」（「視認部」）は、「表示窓」（「図柄表示領域」）内を「第１リール７１」の回転方向に移動するものである。そして、「開口７２から露出」するように「液晶表示手段」（「電気的表示手段」）が設けられることを考慮すれば、「開口７２」（「視認部」）が「表示窓」（「図柄表示領域」）内のどの位置にあっても「液晶表示手段」（「電気的表示手段」）が常に「開口７２から露出」するように、該「液晶表示手段」（「電気的表示手段」）を「表示窓」（「図柄表示領域」）に対応させて設けることは、当業者が設計に際して通常行うことである。
　そうすると、「液晶表示手段」（「電気的表示手段」）が行う「シンボル」（「第２図柄」）の「移動表示」（「変動表示」）は、「表示窓」（「図柄表示領域」）に対応させて「複数個分」（「複数コマ」）の「シンボル」（「第２図柄」）を「移動表示」（「変動表示」）することとなり、「複数個分」（「複数コマ」）の「シンボル」（「第２図柄」）を視認可能な大きさとされた上記「開口７２」（「視認部」）を通して視認されることになるから、全体として、(A)の相違点は単なる設計的な事項にすぎない。
　　　　　　　　　　　　　　　　　　　　　　　　　　　　　　　　　
(B)の相違点について　            
　「参照例」（原審において引用された「引用文献３」）には、次に停止するリールによって入賞となる絵柄の停止位置の方向を示す「入賞方向表示具」として、各「仕切り枠８」に横方向と斜め方向の７個ずつ、上側から下側へ「第１，第２，…第７の入賞方向表示具９ａ，９ｂ，…９ｇ」を設けた「スロットマシン」が記載されている。
　上記の「参照例」において、例えば第３図をみると、「第１リール２a」の上段の「絵柄１」（「７」）及び「第３リール２c」の上段の「絵柄１」から「第２リール２ｂ」の上段の「絵柄１」（「７」）に対して「入賞方向表示具９ａ」が、同じく「第３リール２ｃ」の中段の「絵柄１」から「第２リール２b」の上段の上記「絵柄１」（「７」）に対して「入賞方向表示具９ｂ」が設けられている。これにより、前記「第３リール２ｃ」の上段の「絵柄１」又は前記「第３リール２ｃ」の中段の「絵柄１」が「７」であれば入賞となるものである。このことは、「第３リール２ｃ」の上段の「絵柄１」と、該「絵柄１」とは価値の異なる、「第３リール２ｃ」の中段の「絵柄１」とが、「第３リール２ｃ」の「絵柄１」として１コマに設けられ、これらの図柄が「第１リール２a」及び「第２リール２b」の上段の「絵柄１」と並んで１コマに停止表示して、これらの図柄によって複数種類の価値が生じるようにしたものと実質的に同じ効力を有しているといえる。また、「参照例」の他の「絵柄１」についても同様のことがいえる。
　ところで、１コマに複数個の図柄を停止表示してその複数個の図柄によって複数種類の価値が生じるように構成した図柄は、例えば下記の周知例１ないし３に示されるように、「重複図柄」としてよく知られている。
  そうすると、上記「参照例」を参照しつつ、これらの周知技術を参酌し、引用発明において、「液晶表示パネル７５」に「移動表示」される「シンボル」（本願補正発明における「第２図柄」に対応する。）を、上記した周知の「重複図柄」とすることに格別な困難性を伴うわけではなく、また、上記のように図柄を改変することを妨げる格別な要因が存在するわけでもないから、(B)の相違点に係る構成は、当業者が容易に想到することができたものである。
　　　　　　　　　　　　　　　　　　　　　　　　　　　　　　　　　
　そして、(A)及び(B)の相違点に係る発明特定事項を備えた本願補正発明の効果も、引用発明並びに参照例及び周知技術から当業者が容易に予測し得る範囲内のものであって、格別顕著なものとはいえない。
　　　　　　　　　　　　　　　　　　　　　　　　　　　　　　　　　
　したがって、本願補正発明は、引用発明並びに参照例及び周知技術に基いて、当業者が容易に発明をすることができたものであるから、特許出願の際独立して特許を受けることができないものである。
 　　　　　　　　　　　　　　　　　　　　　　　　　　　　　　　　　
【周知例】
１．特開平７−１９４８０９号公報　　　　　　　　　　　　　　　　　　　当り図柄のうち「７・ＪＡＣ」，「ベル・ＢＡＲ」，および「チェリー・星」の「重複図柄」は、１個の図柄に２種類分の図柄と同様の価値を付与したものであり、たとえば、「７・ＪＡＣ」には、「７」と「ＪＡＣ」との２種類の図柄の価値が付与され、同様に、「ベル・ＢＡＲ」には、「ベル」と「ＢＡＲ」との２種類の図柄の価値が付与され、「チェリー・星」には、「星」と「チェリー」との２種類の図柄の価値が付与されている、遊技機。（段落【００７７】【００７８】、図８）
　　　　　　　　　　　　　　　　　　　　　　　　　　　　　　　　　
２．特開平９−２５３２８８号公報　　　　　　　　　　　　　　　　　　　特別図柄表示器Ｌは特別図柄表示部Ｌ１〜Ｌ３に区分表示可能とし（図２（Ａ））、第１グループである特別図柄表示部Ｌ１、Ｌ２には、図２（Ｂ）に示すように、図柄「１、２、３、Ａ、４、５、Ｚ、６、７、Ｃ」をこの順序で変動表示し、第２グループである特別図柄表示部Ｌ３には、図柄「１、２、３Ａ、４、５Ｚ、６、７Ｃ」を変動表示し、非特定図柄である、「１」、「２」、「A」、「４」、「Z」、「６」、「C」より成る「１、１、１」「２、２、２」「Ａ、３Ａ、Ａ」「４、４、４」「Ｚ、５Ｚ、Ｚ」「６、６、６」「Ｃ、７Ｃ、Ｃ」（７通り）の図柄組み合わせは非特定図柄の組み合わせであり、特定図柄である、「３」、「５」「７」より成る「３、３Ａ、３」「５、５Ｚ、５」「７、７Ｃ、７」（３通り）の図柄組み合わせは特定図柄の組み合わせとし、図柄「３Ａ」、「５Ｚ」、「７Ｃ」は、非特定図柄の組み合わせと特定図柄の組み合わせの両方を構成可能とした遊技機。（段落【０００９】【００１４】、図２、図６）
　　　　　　　　　　　　　　　　　　　　　　　　　　　　　　　　　
３．特開２０００−１５７６７９号公報　　　　　　　　　　　　　　　　複数種類の識別情報を可変表示可能な可変表示装置を有し、該識別情報には複数の識別情報分の識別機能を担保したグルーピング識別情報を含み、該グルーピング識別情報とは、例えば、０〜９までの図柄（複数の識別情報）がある場合に、そのうちの「８、９、０」を１つのグルーピング図柄としてグループ化した図柄配列のパターンにおいては、「８」、「９」、「０」という３つの図柄がグループ化されて「８、９、０」という１つのグルーピング図柄にまとめれており、この１つのグルーピング図柄により「８」、「９」、「０」という３種類の図柄の識別機能を担保している、遊技機。（特許請求の範囲、段落【００５０】【００５１】、図９）
　　　　　　　　　　　　　　　　　　　　　　　　　　　　　　　　　
（４）むすび
　以上のとおり、本件補正は、特許法第１７条の２第５項において準用する同法第１２６条第５項の規定に違反するものであり、特許法第１５９条第１項の規定において読み替えて準用する特許法第５３条第１項の規定により却下されるべきものである。
　　　　　　　　　　　　　　　　　　　　　　　　　　　　　　　　　
３．本願発明について
　平成１６年６月９日付けの手続補正は上記のとおり却下され、平成１５年８月２６日付けの手続補正は原審において却下されているので、本願の請求項１に係る発明（以下、「本願発明」という。）は、平成１５年２月２０日付け手続補正書の特許請求の範囲の請求項１に記載された事項により特定される、以下のとおりのものである。
「遊技に必要な複数種類の第１図柄(43)(44)(45)が周方向に略等間隔をおいて表わされ且つ図柄表示領域(31)に複数コマの前記第１図柄(43)(44)(45)を変動、停止表示可能な回胴体(19)(20)(21)と、該回胴体(19)(20)(21)を別々に駆動する駆動手段(22)(23)(24)と、前記回胴体(19)(20)(21)の内部に配置され且つ前記図柄表示領域(31)に対応させて複数コマ分の第２図柄(46)を変動表示可能な表示手段(25)とを備え、前記回胴体(19)(20)(21)は、内部の前記表示手段(25)側を視認可能な視認部(20d)(21d)を備え、前記表示手段(25)は、１コマに複数個の前記第２図柄(46)を停止表示してその複数個の第２図柄(46)によって複数種類の価値が生じるように構成したことを特徴とする遊技機。」
　　　　　　　　　　　　　　　　　　　　　　　　　　　　　　　　　
（１）引用例
　原査定の拒絶の理由に引用された引用例、および、その記載事項は、前記「２．（１）」に記載したとおりである。
　　　　　　　　　　　　　　　　　　　　　　　　　　　　　　　　　
（２）対比・判断
　本願発明は、前記２．で検討した本願補正発明を特定する、「電気的表示手段」を、より広義な概念である「表示手段」とし、同じく「電気的表示手段の複数コマの第２図柄を視認可能な視認部」を、より広義な概念である「内部の前記表示手段側を視認可能な視認部」とするとともに、「変動後の入賞ライン上の複数個の停止図柄が特定態様となったときに遊技者に有利な利益状態を発生させるようにした遊技機において、」の限定事項を省いたものである。
　そうすると、本願発明の構成要件を全て含み、さらに他の構成要件を付加したものに相当する本願補正発明が、前記「２．（３）」に記載したとおり、引用発明並びに参照例及び周知技術（周知例１ないし３）に基づいて、当業者が容易に発明をすることができたものであるから、本願発明も、同様の理由により、引用発明並びに参照例及び周知技術（周知例１ないし３）に基いて当業者が容易に発明をすることができたものである。
　　　　　　　　　　　　　　　　　　　　　　　　　　　　　　　　　
（３）むすび
　以上のとおり、本願発明は、引用発明並びに参照例及び周知技術に基づいて、当業者が容易に発明をすることができたものであるから、特許法第２９条第２項の規定により特許を受けることができない。
　よって、本願の他の請求項について論じるまでもなく、結論のとおり審決する。